(57)【要約】【課題】ある程度の開口を有する杓ホルダー（即ち、防水容器）を用い、杓ホルダーに入れた撒き餌杓の柄の位置が決まり、しかも、移動に際して水溢れが極めて少ない魚釣り用撒き餌杓の保持具を提供する。【解決手段】上部及び下部が第１、第２の芯材１１、１２によって形状補強され、使用する釣り用バケツ１４内に収納可能な筒状の防水容器１３と、防水容器１３の上側外部に固定され、釣り用バケツ１４の上端に掛止するフック部材１５と、防水容器１３の内側上部に配置され、一端が防水容器１３の内側に回動可能に配置された内蓋材１６とを有し、内蓋材１６には、収納する撒き餌杓２４の柄２５が嵌入する掛止部２３と掛止部２３に連続し、外側から徐々に縮幅する切欠き２２が設けられている。【選択図】図１
2015043719.tif 000002
【特許請求の範囲】
【請求項１】
上部及び下部が第１、第２の芯材によって形状補強され、使用する釣り用バケツ内に収納可能な筒状の防水容器と、該防水容器の上側外部に固定され、前記釣り用バケツの上端に掛止するフック部材と、前記防水容器の内側上部に配置され、一端が前記防水容器の内側に回動可能に配置された内蓋材とを有し、該内蓋材には、収納する撒き餌杓の柄が嵌入する掛止部と該掛止部に連続する切欠きが設けられていることを特徴とする魚釣り用撒き餌杓の保持具。
【請求項２】
請求項１記載の魚釣り用撒き餌杓の保持具において、前記切欠きは平面視してＵ字状又は内側に縮幅する「ハ」字状となっていることを特徴とする魚釣り用撒き餌杓の保持具。
【請求項３】
請求項１又は２記載の魚釣り用撒き餌杓の保持具において、前記防水容器は、平断面の輪郭が角部の丸い四角形となって、下方に向けて徐々に縮幅していることを特徴とする魚釣り用撒き餌杓の保持具。
【請求項４】
請求項１〜３のいずれか１記載の魚釣り用撒き餌杓の保持具において、前記内蓋材と前記防水容器との連結部には、該内蓋材を、自然な状態では該防水容器の上部開口を閉塞するように、水平に保つ支持部材が設けられていることを特徴とする魚釣り用撒き餌杓の保持具。
【請求項５】
請求項１〜４のいずれか１記載の魚釣り用撒き餌杓の保持具において、前記釣り用バケツの上端は角部が丸い四角形の第３の芯材によって補強され、該釣り用バケツの上部外側で前記第３の芯材より低い位置に、該釣り用バケツの蓋の周囲に配置されたジッパーＡと対となるジッパーＢが設けられ、しかも、前記フック部材の外側掛止片は、該釣り用バケツの上端と前記ジッパーＢの間に配置されていることを特徴とする魚釣り用撒き餌杓の保持具。
【発明の詳細な説明】
【技術分野】
【０００１】
本発明は魚釣り時に撒き餌を撒く場合に使用する撒き餌杓の保持具に係り、特に、釣用バケツ等に取り付けて使用する魚釣り用撒き餌杓の保持具に関する。
【背景技術】
【０００２】
浮き釣りにおいては、撒き餌は欠かせないものであり、釣り人は釣り用バケツに撒き餌を入れて、釣り場に持って行き、釣中に撒き餌を撒き餌杓で掬って所定場所に投入していた。この場合、釣り用バケツに多量の撒き餌が入っていれば、撒き餌杓は安定するが、少量の場合は、撒き餌杓を十分に保持できなくて、長尺の撒き餌杓が使用中又は搬送中に釣り用バケツから飛び出る場合もある。
【０００３】
そこで、図５に示すように、釣り用バケツ７０（通称、「バッカン」）の一部に、掛け具７１、７２を介して小型容器、即ち、杓ホルダー（保持具）７３を取り付け、撒き餌杓７４をその中に入れることが行われている（特許文献１、特許文献２参照）。そして、杓ホルダー７３内に水を入れて撒き餌杓７４を洗うことも行われていた。
【先行技術文献】
【特許文献】
【０００４】
【特許文献１】特開２００８−２２７４７号公報
【特許文献２】意匠登録第１３２６００５号公報
【発明の概要】
【発明が解決しようとする課題】
【０００５】
しかしながら、特許文献１、２記載の技術においては、以下のような問題があった。
（１）既存の杓ホルダー７３は、その構造上、撒き餌杓７４を転倒しないように保持することは可能であるが、杓ホルダー７３内で前後左右に撒き餌杓７４の柄の部分が移動して位置が決まらず、釣り人が撒き餌杓７４を使用する場合、目視で撒き餌杓７４の柄の位置を確認する必要があり、素早い撒き餌操作ができない。
【０００６】
（２）以上の問題を解決するには、杓ホルダー７３の開口部をできるだけ小さくすれば撒き餌杓７４と杓ホルダー７３との遊び空間を小さくできるが、撒き餌杓７４を洗浄する場合、開口部にある程度の大きさを必要とする。
【０００７】
（３）杓ホルダー７３の中に撒き餌杓７４の洗浄用の水を入れると、釣り用バケツ７０を持って釣り場の移動をする場合に、運搬時に発生する揺れ、振動等によって杓ホルダー７３から水が溢れ、釣り人の服を汚す場合があった。
本発明はかかる事情に鑑みてなされたもので、ある程度の開口を有する杓ホルダー（即ち、防水容器）を用い、杓ホルダーに入れた撒き餌杓の柄の位置が決まり、しかも、移動に際して水溢れが極めて少ない魚釣り用撒き餌杓の保持具を提供することを目的とする。
【課題を解決するための手段】
【０００８】
前記目的に沿う本発明に係る魚釣り用撒き餌杓の保持具は、上部及び下部が第１、第２の芯材によって形状補強され、使用する釣り用バケツ内に収納可能な筒状の防水容器と、該防水容器の上側外部に固定され、前記釣り用バケツの上端に掛止するフック部材と、前記防水容器の内側上部に配置され、一端が前記防水容器の内側に回動可能に配置された内蓋材（フラップともいう）とを有し、該内蓋材には、収納する撒き餌杓の柄が嵌入する掛止部と該掛止部に連続する切欠きが設けられている。
【０００９】
本発明に係る魚釣り用撒き餌杓の保持具において、前記切欠きは平面視してＵ字状又は内側に縮幅する「ハ」字状となっているのが好ましい。
また、本発明に係る魚釣り用撒き餌杓の保持具において、前記防水容器は、平断面の輪郭が角部の丸い四角形となって、下方に向けて徐々に縮幅しているのが好ましい。
【００１０】
本発明に係る魚釣り用撒き餌杓の保持具において、前記内蓋材と前記防水容器との連結部には、該内蓋材を、自然な状態では該防水容器の上部開口を閉塞するように、水平に保つ支持部材が設けられているのが好ましい。
【００１１】
そして、本発明に係る魚釣り用撒き餌杓の保持具において、前記釣り用バケツの上端は角部が丸い四角形の第３の芯材によって補強され、該釣り用バケツの上部外側で前記第３の芯材より低い位置に、該釣り用バケツの蓋の周囲に配置されたジッパーＡと対となるジッパーＢが設けられ、しかも、前記フック部材の外側掛止片は、該釣り用バケツの上端と前記ジッパーＢの間に配置されているのが好ましい。
【発明の効果】
【００１２】
内蓋材には、収納する撒き餌杓の柄が嵌入する掛止部と掛止部に連続し、例えば、外側から徐々に縮幅する切欠き又は平面視してＵ字状の切欠きが設けられているので、撒き餌杓の柄は、掛止部で保持され、柄の部分は自由には動かない。撒き餌杓の先側を防水容器に入れる場合、撒き餌杓の先側を防水容器から出す場合は、内蓋材が回動するので、自由に出し入れできる。
【００１３】
本発明に係る魚釣り用撒き餌杓の保持具において、防水容器は上端及び下端が補強され、平断面の輪郭が角部の丸い四角形となって、下方に向けて徐々に縮幅している場合は、防水容器自体が型崩れしにくく、しかも、釣り用バケツの内側に沿って配置できる。
【００１４】
本発明に係る魚釣り用撒き餌杓の保持具において、内蓋材と防水容器との連結部に、内蓋材を、自然な状態では防水容器の上部開口を閉塞するように、水平に保つ支持部材が設けられている場合は、内蓋材が常時略水平状態を維持しているので、移動中の水溢れなどがない。
【００１５】
そして、本発明に係る魚釣り用撒き餌杓の保持具において、フック部材の外側掛止片が、釣り用バケツの上端とジッパーＢの間に配置されている場合は、蓋の周囲に設けられているジッパーＡをジッパーＢと係合させると、フック部材が釣り用バケツの中に収納される。
【図面の簡単な説明】
【００１６】
【図１】本発明の一実施の形態に係る魚釣り用撒き餌杓の保持具の斜視図である。
【図２】（Ａ）は同魚釣り用撒き餌杓の保持具の平面図、（Ｂ）は正面図、（Ｃ）は側面図である。
【図３】（Ａ）は同魚釣り用撒き餌杓の保持具内に撒き餌杓が装入された状態の部分断面図、（Ｂ）は同魚釣り用撒き餌杓の保持具に撒き餌杓を入れる状態の部分断面図、（Ｃ）は魚釣り用撒き餌杓の保持具から撒き餌杓を取り出す状態の部分断面図である。
【図４】同魚釣り用撒き餌杓の保持具の使用状態の説明図である。
【図５】従来例に係る魚釣り用撒き餌杓の保持具の使用状態の説明図である。
【発明を実施するための形態】
【００１７】
図１〜図４に示すように、本発明の一実施の形態に係る魚釣り用撒き餌杓の保持具１０は、内部に強度を有する繊維を有し表裏を防水性の合成樹脂で覆ったシート材を用いて製造され、上部及び下部がプラスチック製又は金属製の第１、第２の芯材１１、１２によって形状補強された防水容器１３と、この防水容器１３を釣り用バケツ１４に固定するフック部材１５と、防水容器１３の内側上部に配置された内蓋材１６とを有している。以下、これらについて詳しく説明する。
【００１８】
筒状の防水容器１３の上端及び下端には、形状保持のための第１、第２の芯材１１、１２が設けられている。この第１、第２の芯材１１、１２は、角部が丸い（円弧状となった）矩形（正方形又は長方形）となっている。また、上下端を除く防水容器１３の平断面の輪郭は角部が丸い（円弧状の）四角形となっている。
【００１９】
防水容器１３は上端部（即ち、開口部１３ａ）の縦横幅がそれぞれ５〜１０ｃｍとなって、下方に向けて徐々に縮幅している。なお、防水容器１３の断面の一方の幅が他方の幅より長い場合は、長い方の縮幅の比率を大きくしてもよい。防水容器１３の高さは釣り用バケツ１４の内側高さと同一となって、釣り用バケツ１４の板状の蓋１８を被せた場合、釣り用バケツ１４内に魚釣り用撒き餌杓の保持具１０を収納できる構造となっている。
【００２０】
この釣り用バケツ１４の上端は角部が丸い四角形の第３の芯材１６ａによって補強され、所定の形状を保つようになっていると共に、釣り用バケツ１４の上端から下がった位置（例えば、１．５〜３ｃｍ）にジッパーＢ（ファスナーの一例）が設けられ、蓋１８の周囲に設けられ、ジッパーＢと対となるジッパーＡと係合して、蓋１８が釣り用バケツ１４の上を覆って閉じるようになっている。
【００２１】
防水容器１３の上側外部にはプラスチック製（又は金属製）のフック部材１５が設けられている。このフック部材１５は、対向する掛止片の距離が小さい逆Ｕ字状となって、釣り用バケツ１４の上端にこの魚釣り用撒き餌杓の保持具１０を取外し可能に保持できる構造となっている。なお、フック部材１５の形状は例えば特許文献１等で周知であるが、防水容器１３への固定は、防水容器１３の上端に逆Ｕ字状のフック部材１５を嵌め込むことで行う。フック部材１５は釣り用バケツ１４の上端に掛止された後、対となる掛止片（クリップ）の押圧力によって、係止状態を保持する。なお、フック部材１５の外側掛止片は、釣り用バケツ１４の上端とジッパーＢの間に配置されている。
【００２２】
内蓋材１６は、防水容器１３の内断面と同様、角部が丸くなった矩形状となって、一辺が防水容器１３の内側に回動可能に固定されて回動部２１（防水容器１３と内蓋材１６の連結部に設けられた支持部材の一例）を形成している。この回動部２１は、内蓋材１６が防水容器１３の上部開口（開口部１３ａ）を閉塞するように、自由状態では内蓋材１６を水平に保持している。そして、内蓋材１６において、回動部２１と反対側の辺には、外側から内側に対して徐々に縮幅する三角形状（「ハ」字状）の切欠き２２と、その端部に連続して形成される底部が半円状の溝（掛止部の一例）２３とが形成されている。溝２３の幅は図４に示すように、撒き餌杓２４のシャフト部（柄の一例）２５の直径より例えば１．１〜１．５倍の範囲で大きくなっている。なお、ここで、図４に２点鎖線で示すように、切欠き２２ａの形状を平面視してＵ字状とすることもできる。
【００２３】
回動部２１には内蓋材１６の上下面と防水容器１３の内壁面との間にそれぞれ位置保持手段（例えば、布、ゴム）が設けられて、内蓋材１６に対して上又は下方向から荷重が掛からない場合は、自然な状態で水平状態を維持している。
【００２４】
続いて、本実施の形態に係る魚釣り用撒き餌杓の保持具１０の使用方法及び作用について、図１〜図４を参照しながら説明する。
魚釣り用撒き餌杓の保持具１０を釣り用バケツ１４の内側端部にフック部材１５を介して取付ける。この場合、釣り用バケツ１４内に釣餌が入っている場合は、釣り用バケツ１４内で適当に移動させて、空間部を確保して行う。
【００２５】
そして、魚釣り用撒き餌杓の保持具１０の防水容器１３内に水（海水であってもよい）を入れる。水の深さは、撒き餌杓２４のカップ部２６が漬かる深さがあれば十分である。
撒き餌杓２４を使用した後、撒き餌杓２４をこの魚釣り用撒き餌杓の保持具１０に収納する場合は、通常では図２（Ａ）〜（Ｃ）に示すように、魚釣り用撒き餌杓の保持具１０が釣り用バケツ１４の内壁に沿って配置され、内蓋材１６は回動部２１を中心にして、水平状態を保持しているので、図３（Ｂ）に示すように、撒き餌杓２４で内蓋材１６を押圧し、撒き餌杓２４のカップ部２６及びシャフト部２５を防水容器１３内に収納する。
【００２６】
この状態で、撒き餌杓２４を一定方向に向けて傾けると、シャフト部２５は溝２３内に嵌入するので、撒き餌杓２４の握り部（グリップ）２７の位置が決まり、釣り人によって握り部２７の位置を目視することなく探すことができる。
【００２７】
図３（Ａ）に示すように、この状態で、釣り用バケツ１４をそのまま移動させても、防水容器１３は内蓋材１６が閉じているので、水溢れ等が少ない。
この状態で撒き餌杓２４を洗浄する場合、撒き餌杓２４によって、防水容器１３内を左右、前後に揺らすことによって行える。
【００２８】
次に、撒き餌杓２４を使用する場合は、図３（Ｃ）に示すように、撒き餌杓２４を引き抜くことになるが、内蓋材１６はカップ部２６の上昇に伴い、上角度を向き、撒き餌杓２４が抜けた後は、自然の状態で略水平状態を維持する。
【００２９】
本発明は前記した実施の形態に限定されるものではなく、防水容器の形状を変形したり、寸法を変えることもできる。
また、防水容器の深さは、釣り用バケツの深さに応じて変えることもできる。
【符号の説明】
【００３０】
１０：魚釣り用撒き餌杓の保持具、１１：第１の芯材、１２：第２の芯材、１３：防水容器、１３ａ：開口部、１４：釣り用バケツ、１５：フック部材、１６：内蓋材、１６ａ：第３の芯材、１８：蓋、２１：回動部、２２：切欠き、２２ａ：切欠き、２３：溝、２４：撒き餌杓、２５：シャフト部、２６：カップ部、２７：握り部
【図１】
2015043719.tif 000003
【図２】
2015043719.tif 000004
【図３】
2015043719.tif 000005
【図４】
2015043719.tif 000006
【図５】
2015043719.tif 000007